(57)【要約】【課題】本発明は、永久磁石が対向状にあらかじめもうけられる非磁性体である水道管や燃料供給管を提供することを目的とする。【解決手段】本発明は、非磁性体であるゴム、あるいは合成樹脂より成型される管体３、  前記管体３内を流れる流体に対して直角状に対向する一対のＳ極およびＮ極の永久磁石２、２が封止された構成とする。【選択図】図１
2007177644.tif 000002
【特許請求の範囲】
【請求項１】
非磁性体であるゴム、あるいは合成樹脂より成型される管体と、
前記管体内を流れる流体に対して略直角状に対向する一対のＳ極およびＮ極の永久磁石が封止される
ことを特徴とする磁気を用いた液体活性管。
【請求項２】
前記一対のＳ極およびＮ極の永久磁石が複数個設けられる
ことを特徴とする請求項１記載の磁気を用いた液体活性管。
【請求項３】
非磁性体であるゴム、あるいは合成樹脂より成型される管体において、
前記管体を成型する際に、前記管体内を流れる流体に対して略直角状に磁力線が発せられるように磁石粉体を混練する
ことを特徴とする磁気を用いた液体活性管。
【請求項４】
非磁性体であるゴム、あるいは合成樹脂より成型される管体と、
前記管体の外周壁面に対して前記管体内を流れる流体に対して略直角状に対向する一対のＳ極およびＮ極の永久磁石が装着される
ことを特徴とする磁気を用いた液体活性管。
【請求項５】
前記一対のＳ極およびＮ極の永久磁石が複数個設けられる
ことを特徴とする請求項５記載の磁気を用いた液体活性管。
【発明の詳細な説明】
【技術分野】
【０００１】
本発明は磁気を用いた液体活性器に関する。詳しくはエンジン液体燃料や水を磁気によって活生化させる液体活性管に係るものである。
【背景技術】
【０００２】
従来より二極間の磁場の中を電気伝導を有する流体、例えば水やガソリンなどの液体燃料が一定以上の流速で直角に横切るときに電子励起作用が起こり、エネルギーが発生するファラデーの理論を利用して水道管や燃料供給パイプの外周壁にＳ、Ｎ極の一対の永久磁石を対向した状態で装着することが行われている。
【０００３】
これにより水の場合には、水のイオン化が促進されることにより水中に溶解している水垢物質などの結晶状態を変化させて、配管内壁への付着を防止する効果が得られ、又クラスターが細分化されることによって浸透力・溶解力・洗浄力などに優れた状態となることが知られている。
【０００４】
また、ガソリンや軽油などの液体燃料の場合には、炭化水素の分子を変化させて酸素との結合を容易にし、燃焼効率を向上させることで燃費・排出ガス濃度の改善などに優れた状態となることが知られている。
【０００５】
【特許文献１】実用新案登録第３０６４６４７号
【発明の開示】
【発明が解決しようとする課題】
【０００６】
しかしながら前記水道管や燃料供給管は、塩化ビニールやゴムなどの非磁性体でなければならず、例えば金属管などの磁性体である場合には取り替える必要性が生じてくる。
また、車両のエンジンに燃料を供給するパイプでは、直径が約１０ｍｍから１５ｍｍであるために、Ｓ、Ｎ極の一対の磁石を対向状に装着するには小型で強力な磁石と、この磁石を支持する部材が必要となり、非常に装着に手間を要するなどの問題がある。
【０００７】
また、屋外の水道管の外周壁に永久磁石を設ける構造では、湿気により錆びやすくなり、水道管を永久磁石が取る付けられる構造に変更しなければならないなどの問題がある。
【０００８】
本発明は、以上の点に鑑みて創案されたものであって、永久磁石が対向状にあらかじめもうけられる非磁性体である水道管や燃料供給管を提供することを目的とする。
【課題を解決するための手段】
【０００９】
上記の目的を達成するために、本発明に係る磁気を用いた液体活性管は、非磁性体であるゴム、あるいは合成樹脂より成型される管体と、前記管体内を流れる流体に対して略直角状に対向する一対のＳ極およびＮ極の永久磁石が封止される。
【００１０】
ここで、永久磁石を管体に封止することによって、永久磁石が外気に晒されることがないために錆びることなく、かつ磁気による電子機器への影響を防止することが可能となる。
【００１１】
また、上記の目的を達成するために、本発明に係る磁気を用いた液体活性管は、非磁性体であるゴム、あるいは合成樹脂より成型される管体において、前記管体を成型する際に、前記管体内を流れる流体に対して略直角状に磁力線が発せられるように磁石粉体を混練する。
【００１２】
ここで、非磁性体であるゴム、あるいは合成樹脂により管体を成型する際に、管体内を流れる流体に対して直角状に磁力線が発せられるような磁石粉末を混練することによって管体内を流れる水、あるいは液体燃料に対して管体全体を通して磁界による影響を与えることができる。
【００１３】
また、上記の目的を達成するために、本発明に係る磁気を用いた液体活性管は、非磁性体であるゴム、あるいは合成樹脂より成型される管体と、前記管体の外周壁面に対して前記管体内を流れる流体に対して略直角状に対向する一対のＳ極およびＮ極の永久磁石が装着される。
【００１４】
ここで、非磁性体であるゴム、あるいは合成樹脂より成型される管体の外周面に対して永久磁石を固着することによって、例えば金属製の燃料供給管を使用している場合でも本発明の永久磁石が固着された管体と取り替えることにより燃料の活性化が図れる。
【発明の効果】
【００１５】
本発明では、塩化ビニール、プラスチック、ゴムなどから形成される水道菅や燃料供給管自体にＳ、Ｎ極の永久磁石が対向するように封止されることにより、磁石を装着する手間が省ける。
【００１６】
本発明の液体活性管は、それ自体が磁気活性化管なので飲料水、工業用水等が通過することで、水のもつ洗浄力・浄化力・浸透力・溶解力が蘇えり生活環境を改善し環境保全に役立つ効果がある。
【発明を実施するための最良の形態】
【００１７】
以下、本発明の実施の形態を図面を参酌しながら説明し、本発明の理解に供する。
実施例１
図１（イ）は本発明を適用した磁気を用いた液体活性管の実施例１における斜視図、図１（ロ）は、図１（イ）における断面説明図である。
【００１８】
ここで示す液体活性管１は、プラスチック、塩化ビニール、あるいはゴムなどの非磁性体より形成される。この管体３は、熱可塑性樹脂または熱硬化性樹脂を射出成形によって管形状に成形するものであり、射出成形時にＮ、Ｓ極一対の湾曲片状の永久磁石２、２が管体３の壁内に封止された状態で成型される。
【００１９】
したがって管体３の中心軸線を通して一対のＳ極およびＮ極の永久磁石２、２によって対向した状態で配置されることになる。
なお、管体３への永久磁石２の配置形態は図２（イ）で示すように、管体３の長手方向に沿って一対の永久磁石２、２を複数個配列する形態、あるいは図２（ロ）で示すように、管体３の長手方向長さを有する一対の永久磁石２、２によって対向した状態で配置することもできる。
【００２０】
実施例２
図３（イ）は、本発明を適用した磁気を用いた液体活性管の実施例２における斜視図、図３（ロ）は、図３（イ）における断面説明図である。
【００２１】
ここで示す液体活性管１は、８５〜９５重量％の磁石粉末４に結合材としてプラスチック、塩化ビニール、あるいはゴムなどの非磁性体樹脂からなる５〜１５重量％のバインダー材を混合・混練してボンド系磁石の原料を作る。
【００２２】
次に、前記ボンド系磁石の原料を管体３の外周壁面に対して互いが対向状、かつＳ極、Ｎ極となるように圧縮成型、あるいは射出成型によって水道管や燃料供給管などの管形状に成型する。
【００２３】
ここで、前記磁石粉末を急冷型ネオジウム磁石粉末とした場合には、その結晶が扁平形状であるために、成型中に自然に磁力の方向がそろえられ管軸心に対して直角方向への異方性が得られ焼結型の磁石と同程度の磁性が得られる。
【００２４】
また、図４に示すように８５〜９５重量％の磁性粉末５に結合材としてプラスチック、塩化ビニール、あるいはゴムなどの非磁性体樹脂からなる５〜１５重量％のバインダー材を混合・混練し、管体３の外周壁面に対して互いが対向状となるように圧縮成型、あるいは射出成型によって管体３を成型する。
【００２５】
そして管体３の中心軸線に対して直角方向、かつ対向状となるように管体３の磁性粉末５をＳ極、Ｎ極に磁化処理をして永久磁石２、２を得ることができる。
【００２６】
実施例３
図５（イ）は、本発明を適用した磁気を用いた液体活性管の実施例３における斜視図、
図５（ロ）は、図５（イ）における断面説明図である。
【００２７】
ここで示す液体活性管１は、プラスチック、塩化ビニール、あるいはゴムなどの非磁性体より形成される。そして管体３の外周壁面の曲率と略同等の非磁性体である２個の基盤材６に対して、例えば直径１０ｍｍ、厚さ５ｍｍ、４０００ガウスのネオジュウムから形成される永久磁石２がそれぞれ２個ずつ貫設した状態で装着される。
【００２８】
次に、前記２個の基盤材７を管体３の外周壁面に対して互いが対向状、かつＳ極、Ｎ極となるように接着材、あるいはテープなどによって固着するものである。
【００２９】
なお前記実施例１および実施例３における永久磁石には、複数金属の合金を材料とする合金磁石、フェライト磁石のように酸化鉄を主成分とする酸化物磁石、あるいは２種以上の金属からなる金属間化合物からなる希土類磁石があり、この希土類磁石は、主成分の希土類元素の違いから、サマリウム系、ネオジウム系などに分けられる。
【００３０】
以上の構成よりなる本発明の液体活性管１では、例えばガソリン、あるいはディーゼルエンジンに供給される燃料供給管としてキャブレーターとエンジンとの間に接続される。また、水道の場合には屋外の水道栓付近の水道菅の一部として接続される。
【００３１】
この場合には図６（イ）、（ロ）、（ハ）、（ニ）に示すように、液体活性管１内には流体に対して直角状に磁力線Ａが発せられることとなる。
この磁力線Ａを横切る流体の流速（４ｍ／秒以上）の変化によって電気エネルギーが発生し、この電気エネルギーは磁力が強いほど、又流速が早いほど変化が大きくなる。
【００３２】
従って磁力線Ａを流体Ｂが横切ることによって、電子励起作用が起こりエネルギーが発生するものであり、このエネルギーによって流体がガソリン、あるいは軽油等である場合には、炭化水素の分子を変化させて酸素との結合を容易にし、燃焼効率を向上させることで排ガスおよび燃費を改善する効果を得ることができる。
【００３３】
また、流体が水である場合には、水中に溶解している水垢物質等の結晶状態を変化させて、配管内壁の水垢等の付着を防止するなどの効果を得ることができ、更に水分子のクラスターが細分化されることにより、浸透力・溶解力・洗浄力・浄化力に優れた活性水とすることができる。
【図面の簡単な説明】
【００３４】
【図１】本発明を適用した磁気を用いた液体活性管の実施例１における説明図である。
【図２】図１における永久磁石の配置状態の一例を示す説明図である。
【図３】本発明を適用した磁気を用いた液体活性管の実施例２における説明図である。
【図４】本発明を適用した磁気を用いた液体活性管の実施例２の他の例を示す説明図である。
【図５】本発明を適用した磁気を用いた液体活性管の実施例３における説明図である。
【図６】本発明を適用した磁気を用いた液体活性管の作用説明図である。
【符号の説明】
【００３５】
１      液体活性管
２      永久磁石
３      管体
４      磁石粉末
５      磁性粉末
６      基盤材
【図１】
2007177644.tif 000003
【図２】
2007177644.tif 000004
【図３】
2007177644.tif 000005
【図４】
2007177644.tif 000006
【図５】
2007177644.tif 000007
【図６】
2007177644.tif 000008